(57)【要約】【課題】本発明は、明るさのムラが生じないようにケーブル数を減らすことを目的としている。【解決手段】液晶表示装置は、液晶表示パネル１０と、バックライト１４と、を有する。バックライト１４は、複数のＬＥＤ２２が実装されたＬＥＤ基板２４と、ＬＥＤ基板２４上に配置された反射シート２６と、ＬＥＤ基板２４から間隔をあけて配置された拡散板３０と、ＬＥＤ基板２４の端部で拡散板３０を支持するサイドサポート３２と、外部との電気的接続のためのコネクタ３４と、少なくとも１つのＬＥＤ２２に電気的に接続された電子部品３６と、を含む。コネクタ３４及び電子部品３６は、サイドサポート３２の下でＬＥＤ基板２４に実装されている。サイドサポート３２は、コネクタ３４及び電子部品３６よりも光反射率が高い。【選択図】図２
2010191247.tif 000002
【特許請求の範囲】
【請求項１】
液晶表示パネルと、
バックライトと、
を有し、
前記バックライトは、複数のＬＥＤが実装されたＬＥＤ基板と、前記ＬＥＤ基板上に配置された反射シートと、前記ＬＥＤ基板から間隔をあけて配置された拡散板と、前記ＬＥＤ基板の端部で前記拡散板を支持するサイドサポートと、外部との電気的接続のためのコネクタと、少なくとも１つの前記ＬＥＤに電気的に接続された電子部品と、を含み、
前記コネクタ及び前記電子部品は、前記サイドサポートの下で前記ＬＥＤ基板に実装され、
前記サイドサポートは、前記コネクタ及び前記電子部品よりも光反射率が高いことを特徴とする液晶表示装置。
【請求項２】
請求項１に記載された液晶表示装置において、
前記バックライトは、前記ＬＥＤ基板の前記複数のＬＥＤが実装された面とは反対側に配置された下フレームと、前記ＬＥＤ基板の前記複数のＬＥＤが実装された第１領域と前記下フレームとの間に介在する第１シートと、前記ＬＥＤ基板の前記コネクタ及び前記電子部品が実装された第２領域と前記下フレームとの間に介在する第２シートと、をさらに有し、
前記第２シートは、前記第１シートよりも熱伝導率が高いことを特徴とする液晶表示装置。
【発明の詳細な説明】
【技術分野】
【０００１】
本発明は、液晶表示装置に関する。
【背景技術】
【０００２】
液晶表示装置のバックライトの光源としてＬＥＤ（Light Emitting Diode）を使用することが知られている（特許文献１）。従来、複数のＬＥＤが実装された基板と、駆動回路・電源回路・保護回路などを構成する部品が実装された基板とがケーブルで接続されていた。
【先行技術文献】
【特許文献】
【０００３】
【特許文献１】特開２００７−３０５５８４号公報
【発明の概要】
【発明が解決しようとする課題】
【０００４】
基板上で複数のＬＥＤは複数のグループに分けられることが多く、その場合、各グループに対応して駆動回路等が必要になる。そのため、ケーブル数が多くなり、接続作業の負担が増すのみならず、スペースを必要とし、小型化の妨げとなっていた。
【０００５】
また、ＬＥＤが実装された基板に、種々の部品を実装するとしても、これらの部品は光の反射率が低いため、明るさにムラが生じるという問題がある。
【０００６】
本発明は、明るさのムラが生じないようにケーブル数を減らすことを目的としている。
【課題を解決するための手段】
【０００７】
（１）本発明に係る液晶表示装置は、液晶表示パネルと、バックライトと、を有し、前記バックライトは、複数のＬＥＤが実装されたＬＥＤ基板と、前記ＬＥＤ基板上に配置された反射シートと、前記ＬＥＤ基板から間隔をあけて配置された拡散板と、前記ＬＥＤ基板の端部で前記拡散板を支持するサイドサポートと、外部との電気的接続のためのコネクタと、少なくとも１つの前記ＬＥＤに電気的に接続された電子部品と、を含み、前記コネクタ及び前記電子部品は、前記サイドサポートの下で前記ＬＥＤ基板に実装され、前記サイドサポートは、前記コネクタ及び前記電子部品よりも光反射率が高いことを特徴とする。本発明によれば、コネクタ及び電子部品がサイドサポートの下に配置されているので、反射率の低さによる明るさのムラの発生を防止することができる。また、コネクタ及び電子部品がＬＥＤ基板に実装されているのでケーブル数を減らすことができる。
【０００８】
（２）（１）に記載された液晶表示装置において、前記バックライトは、前記ＬＥＤ基板の前記複数のＬＥＤが実装された面とは反対側に配置された下フレームと、前記ＬＥＤ基板の前記複数のＬＥＤが実装された第１領域と前記下フレームとの間に介在する第１シートと、前記ＬＥＤ基板の前記コネクタ及び前記電子部品が実装された第２領域と前記下フレームとの間に介在する第２シートと、をさらに有し、前記第２シートは、前記第１シートよりも熱伝導率が高いことを特徴としてもよい。
【図面の簡単な説明】
【０００９】
【図１】本発明の実施の形態に係る液晶表示装置を示す分解斜視図である。
【図２】バックライトの分解斜視図である。
【図３】バックライトの概略を示す断面図である。
【発明を実施するための形態】
【００１０】
以下、本発明の実施の形態について、図面を参照して説明する。
【００１１】
図１は、本発明の実施の形態に係る液晶表示装置を示す分解斜視図である。液晶表示装置は、液晶表示パネル１０を有する。液晶表示パネル１０の両面にはそれぞれ偏光板１２が配置されている。液晶表示装置はバックライト１４を有する。液晶表示パネル１０とバックライト１４の間に一方の偏光板１２が介在する。液晶表示パネル１０にはフレキシブル配線基板１６が取り付けられている。
【００１２】
液晶表示パネル１０は、一対の基板１８を有し、両者間には液晶２０が介在する。一方の基板１８は、薄膜電界効果トランジスタ、画素電極及び配線などを含むＴＦＴ（Thin Film Transistor）基板（又はアレイ基板）であり、他方の基板１８はカラーフィルタ基板である。
【００１３】
液晶表示パネル１０の駆動方式は、IPS（In Plane Switching）方式、TN（Twisted Nematic）方式又はVA（Vertical Alignment）方式などいずれの方式であってもよく、方式に応じた電極及び配線が形成される。
【００１４】
図２は、バックライトの分解斜視図である。図３は、バックライトの概略を示す断面図である。
【００１５】
バックライト１４は、複数のＬＥＤ２２が実装されたＬＥＤ基板２４を有する。複数のＬＥＤ２２が光源になっている。複数のＬＥＤ２２は、複数のグループに分けられ、各グループで２個以上のＬＥＤ２２が直列接続されている。したがって、各グループでＬＥＤ２２の明るさが異なるように調整することができ、逆に、各グループのＬＥＤ２２の特性の違いに応じてグループごとに異なる電圧を加えることで全グループのＬＥＤ２２の明るさを均一にしてもよい。
【００１６】
ＬＥＤ基板２４上には反射シート２６が配置されている。反射シート２６には複数の穴２８が形成されており、複数の穴２８に複数のＬＥＤ２２がそれぞれ挿通されている。反射シート２６は、ＬＥＤ基板２４の表面よりも光反射率が高くなっており、ＬＥＤ２２から放出された光を反射する。また、反射シート２６は、図２に示すように、サイドサポート３２を避けた端部において折り曲げられ、ＬＥＤ基板２４からの立ち上げ部２９を有する。この立ち上げ部２９は、反射シート２６に平行な方向に向かう光を反射して戻すようになっている。
【００１７】
ＬＥＤ基板２４から間隔をあけて拡散板３０が配置されている（図３参照）。拡散板３０によって、ＬＥＤ２２から放出された光を拡散させて明るさのムラを減少させている。拡散板３０は、ＬＥＤ基板２４の端部（詳しくは一対の対向する端部）でサイドサポート３２によって支持されている。サイドサポート３２は、樹脂のモールド成形品であり、サイドモールドとも呼ばれる。サイドサポート３２には、上面に段差３３が形成されており、段差３３によって拡散板３０の位置決め（詳しくは拡散板３０の表面に沿った方向であってサイドサポート３２に向かう方向での位置決め）が図られる。
【００１８】
ＬＥＤ基板２４には、外部との電気的接続のためのコネクタ３４が実装されている。１つのコネクタ３４が、１つのグループのＬＥＤ２２に対応しており、ＬＥＤ基板２４には複数のコネクタ３４が実装されている。また、ＬＥＤ基板２４には、少なくとも１つのＬＥＤ２２に電気的に接続された電子部品３６が実装されている。電子部品３６は、例えば、ダイオードやＩＣチップ等であり、ＬＥＤ２２の駆動回路、保護回路、平滑回路、電圧変換回路などを構成する。コネクタ３４及び電子部品３６がＬＥＤ基板２４に実装されているのでケーブル数を減らすことができる。少なくとも１つの電子部品３６が、１つのグループのＬＥＤ２２に対応しており、ＬＥＤ基板２４には複数の電子部品３６が実装されている。
【００１９】
サイドサポート３２は、コネクタ３４及び電子部品３６よりも光反射率が高い。例えば、コネクタ３４及び電子部品３６が黒色であるのに対して、サイドサポート３２が白色であって拡散反射するようになっている。コネクタ３４及び電子部品３６は、サイドサポート３２の下でＬＥＤ基板２４に実装されている。コネクタ３４及び電子部品３６とＬＥＤ２２との間は、サイドサポート３２の一部によって区画されており、側方から光がコネクタ３４及び電子部品３６に反射しないようになっている。つまり、サイドサポート３２のＬＥＤ２２側の立ち上げ面３８では、反射シート２６に平行な方向に向かう光を反射して戻すようになっている。また、コネクタ３４及び電子部品３６は、サイドサポート３２の一部によって覆われており、上方からも光がコネクタ３４及び電子部品３６に反射しないようになっている。
【００２０】
本実施の形態によれば、コネクタ３４及び電子部品３６がサイドサポート３２の下に配置されているので、反射率の低さによる明るさのムラの発生を防止することができる。
【００２１】
バックライト１４は、下フレーム４０を有する。サイドサポート３２は下フレーム４０の補強部材も兼ねている。下フレーム４０は、ＬＥＤ基板２４の複数のＬＥＤ２２が実装された面とは反対側に配置されている。下フレーム４０と、ＬＥＤ基板２４の複数のＬＥＤ２２が実装された第１領域４２との間には第１シート４４が介在している。下フレーム４０と、ＬＥＤ基板２４のコネクタ３４及び電子部品３６が実装された第２領域４６との間には第２シート４８が介在している。第１シート４４及び第２シート４８は、それぞれ、両面粘着シートであってもよい。
【００２２】
本実施の形態では、第２シート４８は、第１シート４４よりも熱伝導率が高い。したがって、ＬＥＤ２２よりも温度が高くなりやすい電子部品３６の熱を、下フレーム４０に効率よく逃がすことができる。下フレーム４０は放熱器も兼ねるので金属から構成して放熱性を高めてもよい。
【００２３】
さらにバックライト１４は、拡散板３０と重なるように光学シート５０を有する。また、バックライト１４は、上フレーム５２を有し、上フレーム５２の内側が表示領域となる。上フレーム５２と下フレーム４０の間に、光学シート５０、拡散板３０、サイドサポート３２、反射シート２６、ＬＥＤ基板２４が配置される。
【００２４】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００２５】
１０  液晶表示パネル、１２  偏光板、１４  バックライト、１６  フレキシブル配線基板、１８  基板、２０  液晶、２２  ＬＥＤ、２４  ＬＥＤ基板、２６  反射シート、２８  穴、２９  立ち上げ部、３０  拡散板、３２  サイドサポート、３３  段差、３４  コネクタ、３６  電子部品、３８  立ち上げ面、４０  下フレーム、４２  第１領域、４４  第１シート、４６  第２領域、４８  第２シート、５０  光学シート、５２  上フレーム。
【図１】
2010191247.tif 000003
【図２】
2010191247.tif 000004
【図３】
2010191247.tif 000005